(57)【要約】【課題】蟻溝を精度良く仕上げてある雌型金物を特に使用することなく、雌型金物と雄型金物とが蟻溝深さ方向に引き寄せられるように、蟻溝を型枠に対して精度良く位置決めした状態で、雌型金物を型枠に固定できるようにする。【解決手段】雌型金物Ａを、その蟻溝１に押し込み部材２をトンネル長手方向から押し込み可能な状態でコンクリートに埋め込み固定してあるトンネルセグメントを製造するために、雌型金物を、蟻溝長手方向がトンネル長手方向に沿う姿勢で型枠１９に取り外し可能に固定しておき、その型枠にコンクリートを打設して、セグメントを製造する方法であって、押し込み部材を蟻溝に押し込むことにより、雌型金物と雄型金物とを蟻溝深さ方向に互いに引き寄せるべく圧接される蟻溝の圧接部１２が、型枠に対して予め定めた基準位置に位置決めされるように、雌型金物を型枠に取り外し可能に固定する。【選択図】        図１１
2005016236.tif 000002
【特許請求の範囲】
【請求項１】
蟻溝を設けてある雌型金物と、前記蟻溝に蟻溝長手方向から押し込み可能な押し込み部材を設けてある雄型金物とを備えていて、前記押し込み部材を前記蟻溝に押し込むことにより、前記雌型金物と前記雄型金物とが蟻溝深さ方向に互いに引き寄せられるように、前記押し込み部材と前記蟻溝とを互いに圧接させて、前記雌型金物と前記雄型金物とを連結可能に構成してある連結具の前記雌型金物を、その蟻溝に前記押し込み部材をトンネル長手方向から押し込み可能な状態でコンクリートに埋め込み固定してあるトンネル用コンクリートセグメントを製造するために、
前記雌型金物を、蟻溝長手方向がトンネル長手方向に沿う姿勢で型枠に取り外し可能に固定しておき、
その型枠にコンクリートを打設して、前記セグメントを製造するトンネル用コンクリートセグメント製造方法であって、
前記押し込み部材を前記蟻溝に押し込むことにより、前記雌型金物と前記雄型金物とを蟻溝深さ方向に互いに引き寄せるべく圧接される前記蟻溝の圧接部が、前記型枠に対して予め定めた基準位置に位置決めされるように、前記雌型金物を前記型枠に取り外し可能に固定するトンネル用コンクリートセグメント製造方法。
【発明の詳細な説明】
【０００１】
【発明の属する技術分野】
本発明は、蟻溝を設けてある雌型金物と、前記蟻溝に蟻溝長手方向から押し込み可能な押し込み部材を設けてある雄型金物とを備えていて、前記押し込み部材を前記蟻溝に押し込むことにより、前記雌型金物と前記雄型金物とが蟻溝深さ方向に互いに引き寄せられるように、前記押し込み部材と前記蟻溝とを互いに圧接させて、前記雌型金物と前記雄型金物とを連結可能に構成してある連結具の前記雌型金物を、その蟻溝に前記押し込み部材をトンネル長手方向から押し込み可能な状態でコンクリートに埋め込み固定してあるトンネル用コンクリートセグメントを製造するために、前記雌型金物を、蟻溝長手方向がトンネル長手方向に沿う姿勢で型枠に取り外し可能に固定しておき、その型枠にコンクリートを打設して、前記セグメントを製造するトンネル用コンクリートセグメント製造方法に関する。
【０００２】
【従来の技術】
雄型金物の押し込み部材を雌型金物の蟻溝に押し込むことにより、雌型金物と雄型金物とが蟻溝深さ方向に互いに引き寄せられるように、押し込み部材と蟻溝とを互いに圧接させて、雌型金物と雄型金物とを連結可能に構成してある連結具のうちの雌型金物を、その蟻溝に雄型金物の押し込み部材をトンネル長手方向から押し込み可能な状態でコンクリートに埋め込み固定してあるトンネル用コンクリートセグメントは、トンネル周方向で隣り合うセグメントどうしを連結するために、例えば、隣り合うセグメントどうしの突き合わせ部のいずれにも雌型金物を固定してあるセグメントどうしを連結する場合は、二個の押し込み部材を一体に並設してある雄型金物を使用して、各セグメントに固定してある雌型金物の蟻溝に雄型金物の各押し込み部材をトンネル長手方向から押し込むことにより、また、隣り合うセグメントどうしの突き合わせ部に雌型金物を固定してあるセグメントと、雄型金物を固定してあるセグメントとを連結する場合は、一方のセグメントに固定してある雌型金物の蟻溝に、他方のセグメントに固定してある雄型金物の押し込み部材をトンネル長手方向から押し込むことにより、トンネル周方向で隣り合うセグメントどうしをトンネル周方向に互いに引き寄せて能率良く連結できるように構成したものである。
このようなトンネル用コンクリートセグメントの製造方法では、押し込み部材を前記蟻溝に押し込むことによってトンネル周方向で隣り合うセグメントどうしが蟻溝深さ方向に引き寄せられるように、前記蟻溝を型枠に対して位置決めした状態で、雌型金物を型枠に固定しておいて、その型枠にコンクリートを打設する必要があるが、従来、雌型金物の蟻溝に蟻溝長手方向から楔状に嵌合可能な嵌合部材を型枠側に設け、トンネル長手方向に沿うその嵌合部材の中心軸又は全体を基準にして、嵌合部材に蟻溝を所定姿勢で嵌合させることによって、蟻溝を型枠に対して位置決めした状態で、雌型金物を型枠に取り外し可能に固定している（例えば、特許文献１参照）。
【０００３】
【特許文献１】
特開２０００−６１９２１号公報
【０００４】
【発明が解決しようとする課題】
このため、型枠側に設けた嵌合部材に対して蟻溝を所定姿勢で嵌合させることができるように、蟻溝全体を雌型金物に精度良く仕上げておかなければ、蟻溝を型枠に対して精度良く位置決めできないおそれがあるので、雌型金物の製作コストが高くなる欠点がある。
つまり、嵌合部材に対する蟻溝の嵌合姿勢は蟻溝の仕上げ精度に左右されるにもかかわらず、トンネル長手方向に沿う嵌合部材の中心軸又は全体を基準にして、蟻溝の嵌合部材に対する嵌合姿勢が所定姿勢になるように位置決めするので、嵌合姿勢が所定姿勢になるようにするには、蟻溝全体を精度良く仕上げる必要があり、雌型金物の製作コストが高くなるのである。
本発明は上記実情に鑑みてなされたものであって、蟻溝全体を精度良く仕上げてある雌型金物を特に使用することなく、押し込み部材を蟻溝に押し込むことによって雌型金物と雄型金物とが蟻溝深さ方向に引き寄せられるように、蟻溝を型枠に対して精度良く位置決めした状態で、雌型金物を型枠に固定できるようにすることを目的とする。
【０００５】
【課題を解決するための手段】
請求項１記載の発明の特徴構成は、蟻溝を設けてある雌型金物と、前記蟻溝に蟻溝長手方向から押し込み可能な押し込み部材を設けてある雄型金物とを備えていて、前記押し込み部材を前記蟻溝に押し込むことにより、前記雌型金物と前記雄型金物とが蟻溝深さ方向に互いに引き寄せられるように、前記押し込み部材と前記蟻溝とを互いに圧接させて、前記雌型金物と前記雄型金物とを連結可能に構成してある連結具の前記雌型金物を、その蟻溝に前記押し込み部材をトンネル長手方向から押し込み可能な状態でコンクリートに埋め込み固定してあるトンネル用コンクリートセグメントを製造するために、前記雌型金物を、蟻溝長手方向がトンネル長手方向に沿う姿勢で型枠に取り外し可能に固定しておき、その型枠にコンクリートを打設して、前記セグメントを製造するトンネル用コンクリートセグメント製造方法であって、前記押し込み部材を前記蟻溝に押し込むことにより、前記雌型金物と前記雄型金物とを蟻溝深さ方向に互いに引き寄せるべく圧接される前記蟻溝の圧接部が、前記型枠に対して予め定めた基準位置に位置決めされるように、前記雌型金物を前記型枠に取り外し可能に固定する点にある。
【０００６】
〔作用及び効果〕
押し込み部材を蟻溝に押し込むことにより、雌型金物と雄型金物とを蟻溝深さ方向に互いに引き寄せるべく圧接される蟻溝の圧接部を位置決め対象にして、その圧接部が、型枠に対して予め定めた基準位置に位置決めされるように、雌型金物を型枠に取り外し可能に固定して、その型枠にコンクリートを打設するので、蟻溝全体を精度良く仕上げてある雌型金物を特に使用することなく、押し込み部材を蟻溝に押し込むことによって雌型金物と雄型金物とが蟻溝深さ方向に引き寄せられるように、蟻溝を型枠に対して精度良く位置決めした状態で、雌型金物を型枠に固定できる。
【０００７】
【発明の実施の形態】
以下に本発明の実施の形態を図面に基づいて説明する。
図１は、蟻溝１を設けてある鋳鉄製雌型金物Ａ（Ａ１，Ａ２）と、その蟻溝１に蟻溝長手方向から押し込み可能な押し込み部材２を設けてある鋳鉄製雄型金物Ｂとを備えていて、押し込み部材２を蟻溝１に押し込むことにより、雌型金物Ａと雄型金物Ｂとが蟻溝深さ方向に互いに引き寄せられるように、押し込み部材２と蟻溝１とを互いに圧接させて、雌型金物Ａと雄型金物Ｂとを連結可能に構成してある連結具Ｃを示す。
【０００８】
前記雄型金物Ｂは、平板状胴部３の左右両側に、胴部３よりも厚肉の押し込み部材２を、押し込み部材２の蟻溝１への押し込み方向Ｘの上手側ほど互いに近接するように一体に並設して、各押し込み部材２と胴部３との段部をテーパー面状の雄側圧接部４に形成し、一方の押し込み部材２の押し込み方向上手側端部にはバックアップ材５を固定してある。
【０００９】
前記雌型金物Ａは、雄型金物Ｂの一方の押し込み部材２側を蟻溝深さ方向に挿入して、その雄型金物Ｂを蟻溝端部に装着するための開口部６を備えた第１雌型金物Ａ１と、第１雌型金物Ａ１に装着した雄型金物Ｂの他方の押し込み部材２を蟻溝長手方向から蟻溝１に押し込めるように、蟻溝１の端部を金物端面７に開口させてある第２雌型金物Ａ２との二種類があり、各雌型金物Ａ１，Ａ２にアンカーボルト８を設け、第１雌型金物Ａ１には、雄型金物Ｂの押し込み反力をバックアップ材５を介して受け止める反力受け部１０を設けてある。
【００１０】
前記蟻溝１の各々は、金物側面１１に開口して胴部３が蟻溝長手方向から差し込まれる幅狭溝部１ａと、押し込み部材２が押し込まれる略矩形断面の幅広溝部１ｂとを深さ方向に備え、幅狭溝部１ａの深さを、押し込み部材２の押し込み方向Ｘの下手側ほど深くなるように形成して、各雌型金物Ａ１，Ａ２の幅狭溝部１ａと幅広溝部１ｂとの段部をテーパー面状の雌側圧接部１２に形成してある。
【００１１】
図２は、トンネル長手方向に沿わせる左右のセグメント端面１３に、上記雌型金物Ａ（Ａ１，Ａ２）を、その蟻溝１に押し込み部材２をトンネル長手方向から押し込み可能な状態で、金物側面１１がその端面１３と略面一になるようにコンクリート１４に埋め込み固定してある円弧板状の矩形のトンネル用コンクリートセグメント（以下、単にセグメントという）Ｄを示す。
【００１２】
前記セグメントＤは、トンネル長手方向で隣り合うセグメントＤ１，Ｄ２どうしはボルト連結するように構成してあり、図３に示すように、既設セグメントＤ２に対してトンネル周方向から連結するセグメント端面１３ａには、切り羽側角部に第１雌型金物Ａ１を固定するとともに、抗口側角部に第２雌型金物Ａ２を固定し、後続して設置されるセグメントＤに対してトンネル周方向から連結するセグメント端面１３ｂには、切り羽側角部に第２雌型金物Ａ２を固定するとともに、抗口側角部に第１雌型金物Ａ１を固定してある。
【００１３】
そして、既設セグメントＤ２と新設セグメントＤ３の第１雌型金物Ａ１に雄型金物Ｂを装着して、図４に示すように、各雄型金物Ｂの第１雌型金物Ａ１から突出している押し込み部材２を雌型金物Ａ２の蟻溝１に蟻溝長手方向から挿入できるように新設セグメントＤ３を保持し、油圧ジャッキなどでトンネル長手方向に沿って既設セグメントＤ２側に移動させて、雄型金物Ｂの各押し込み部材２を各雌型金物Ａ１，Ａ２の蟻溝１に同時に押し込むことにより、各雌型金物Ａ１，Ａ２と雄型金物ＢとをセグメントＤと共に蟻溝深さ方向に引き寄せるべく、各雄側圧接部４を各雌型金物Ａ１，Ａ２の雌側圧接部１２に圧接させて、図５，図６に示すように、二個の雄型金物Ｂを介して、トンネル周方向で隣り合うセグメントＤ（Ｄ２，Ｄ３）どうしを連結できるように構成してある。
【００１４】
前記雌型金物Ａを、蟻溝長手方向がトンネル長手方向に沿う姿勢で型枠１９に取り外し可能に固定しておき、その型枠１９にコンクリート１４を打設して、セグメントＤを製造するトンネル用コンクリートセグメント製造方法を説明する。
【００１５】
前記型枠１９は、図７，図８に示すように、セグメントＤのトンネル内周側を形成する湾曲底板２０に、セグメントＤのトンネル周方向に沿わせる端面１５，１６を成形する二枚の円弧状の側板２１と、セグメントＤのトンネル長手方向に沿わせる端面１３を形成する二枚の長方形状の端板２２とを取り外し自在に固定して、箱状に組み立ててある。
【００１６】
そして、図７に示すように、第１雌型金物Ａ１と第２雌型金物Ａ２とを、それらの雌側圧接部１２が型枠１９に対して予め定めた基準位置に位置決めされるように、金物固定具２３（２３ａ，２３ｂ）で端板２２に取り外し可能に固定し、必要な鉄筋２４などを型枠１９の内側に配置しておく。
【００１７】
前記基準位置は、雄型金物Ｂの各押し込み部材２を一対の雌型金物Ａ１，Ａ２の各蟻溝１に同時に押しこんだときに、各雄側圧接部４が各雌型金物Ａ１，Ａ２の雌側圧接部１２に圧接して、雌型金物Ａ１，Ａ２どうしをセグメントＤ２，Ｄ３と共に蟻溝深さ方向に引き寄せ、図５，図６に示したように、二個の雄型金物Ｂを介して、トンネル周方向で隣り合うセグメントＤ（Ｄ２，Ｄ３）どうしを確実に連結できるように、各雌側圧接部１２を型枠１９に対して精度良く位置決めできる位置をいう。
【００１８】
前記金物固定具２３は、図９〜１１に示すように、雄側圧接部４と略同じ形状の擬似圧接部２５を備えていて、蟻溝深さ方向の寸法が押し込み部材２よりも小さい擬似部材２６に二本の固定用ボルト２７を一体固定してある第１固定具２３ａと、図１０，図１１に示すように、雌型金物Ａ１，Ａ２の各蟻溝１側に入り込んで、雌型金物Ａ１，Ａ２を型枠１９の内側に向けて押圧する第２固定具２３ｂとを設けて構成してある。
【００１９】
前記第１固定具２３ａは、各固定用ボルト２７の基部に、端板２２に形成したボルト孔２８に嵌合してその挿入量を規制する段部３１を形成して、擬似部材２６を型枠１９に対して位置決め状態で固定できるように構成してある。
【００２０】
前記第２固定具２３ｂは、型枠１９に形成した貫通孔３４に連通するように固定してある雌ネジ孔付きの二個のボス３３と、それらのボス３３の雌ネジ孔に螺合する二個の押圧ボルト３２とを設けて構成してある。
【００２１】
そして、図１０，図１１に示すように、端板２２のボルト孔２８に固定用ボルト２７を挿通して、ナット２９で擬似部材２６を端板２２に位置決め状態で固定し、各雌型金物Ａ１，Ａ２を、蟻溝１の内側に対応する擬似部材２６と各押圧ボルト３２の先端側とが入り込むように装着して、各押圧ボルト３２のねじ込み操作で雌型金物Ａ１，Ａ２を型枠１９の内側に向けて押圧することにより、各雌型金物Ａ１，Ａ２を、各擬似圧接部２５が対応する雌側圧接部１２に対して雄側圧接部４と同等に圧接されるように固定して、各雌型金物Ａ１，Ａ２を、それらの雌側圧接部１２が型枠１９に対して予め定めた基準位置に位置決めできるようにしてある。
尚、雌型金物Ａ１，Ａ２を型枠１９に対して位置決めした結果、金物側面１１と端板２２との間に隙間ができた場合は、適宜、詰め物を挟み込んでおく。
【００２２】
次に、蟻溝１内にコンクリート１４が流入するおそれのある箇所には軟質ゴムなどで形成した塞ぎ部材３０で塞いでおいて、コンクリート１４を打設し、必要な養生工程を経た後、固定用ボルト２７のナット２９を外して端板２２と側板２１とを取り外し、擬似部材２６や塞ぎ部材３０を各雌型金物Ａ１，Ａ２から抜き取って、必要な仕上げ工程を経てセグメントＤを製造する。
【００２３】
〔その他の実施形態〕
１．本発明によるトンネル用コンクリートセグメント製造方法は、雄型金物を固定してあるセグメントに連結するための雌型金物を固定してあるセグメントを製造するために使用しても良い。
２．本発明によるトンネル用コンクリートセグメント製造方法は、鋼板などの鋼材を溶接で接続して組み立ててある雄型金物をコンクリートに埋め込み固定してあるトンネル用コンクリートセグメントを製造するために使用しても良い。
【図面の簡単な説明】
【図１】連結具の分解斜視図
【図２】セグメントの一部断面平面図
【図３】セグメントの連結手順を説明する展開図
【図４】セグメントの連結方法の説明図
【図５】セグメントの連結方法の説明図
【図６】セグメントの連結方法の説明図
【図７】セグメントの製造方法の説明図
【図８】セグメントの製造方法の説明図
【図９】セグメントの製造方法の説明図
【図１０】セグメントの製造方法の説明図
【図１１】セグメントの製造方法の説明図
【符号の説明】
１    蟻溝
２    押し込み部材
１２  圧接部
１４  コンクリート
１９  型枠
Ａ    雌型金物
Ｂ    雄型金物
Ｃ    連結具
Ｄ    トンネル用コンクリートセグメント
【図１】
2005016236.tif 000003
【図２】
2005016236.tif 000004
【図３】
2005016236.tif 000005
【図４】
2005016236.tif 000006
【図５】
2005016236.tif 000007
【図６】
2005016236.tif 000008
【図７】
2005016236.tif 000009
【図８】
2005016236.tif 000010
【図９】
2005016236.tif 000011
【図１０】
2005016236.tif 000012
【図１１】
2005016236.tif 000013